(57)【要約】画像の入力元に関するオブジェクトが表示される第１表示領域と画像の出力先に関するオブジェクトが表示される第２表示領域との一方または双方と、入力元または出力先を制御するためのオブジェクトが表示される第３表示領域とを、１画面に表示させる処理部を備える、医療用制御装置が提供される。【選択図】図２０
2017056762.tif 000002
【特許請求の範囲】
【請求項１】
画像の入力元に関するオブジェクトが表示される第１表示領域と画像の出力先に関するオブジェクトが表示される第２表示領域との一方または双方と、前記入力元または前記出力先を制御するためのオブジェクトが表示される第３表示領域とを、１画面に表示させる処理部を備える、医療用制御装置。
【請求項２】
前記第１表示領域と前記第２表示領域との双方と、前記第３表示領域とを、１画面に表示させる場合、  前記処理部は、  前記第２表示領域に、前記入力元の画像を表示させることが可能な前記出力先に関するオブジェクトを表示させ、  前記第３表示領域に、前記入力元を制御するためのオブジェクトを表示させる、請求項１に記載の医療用制御装置。
【請求項３】
前記処理部は、前記第２表示領域に対する操作に基づいて、前記第２表示領域に対する操作により選択された、前記入力元の画像を表示させる前記出力先を、明示させる、請求項２に記載の医療用制御装置。
【請求項４】
前記処理部は、前記第１表示領域に対する操作、および前記第２表示領域に対する操作に基づいて、前記第２表示領域に対する操作により選択された、前記第１表示領域に対する操作により選択された前記入力元の画像の一部に対応する画像を表示させる、前記出力先を、さらに明示させる、請求項３に記載の医療用制御装置。
【請求項５】
前記第１表示領域と、前記第３表示領域とを、１画面に表示させる場合、  前記処理部は、  前記第１表示領域に、前記出力先に画像を表示させることが可能な前記入力元に関するオブジェクト、または、前記出力先に画像を記録させることが可能な前記入力元に関するオブジェクトを表示させ、  前記第３表示領域に、前記出力先を制御するためのオブジェクトを表示させる、請求項１に記載の医療用制御装置。
【請求項６】
前記出力先が、独立して画像を表示することが可能な表示領域を１画面内に複数設けることが可能な機能を、有する場合、  前記処理部は、前記第３表示領域に、前記出力先における前記表示領域のうちの１または２以上への表示を制御するためのオブジェクトを、表示させる、請求項５に記載の医療用制御装置。
【請求項７】
前記第２表示領域と、前記第３表示領域とを、１画面に表示させる場合、  前記処理部は、  前記第２表示領域に、前記入力元の画像を表示させることが可能な出力先に関するオブジェクトを表示させ、  前記第３表示領域に、前記入力元を制御するためのオブジェクトを表示させる、請求項１に記載の医療用制御装置。
【請求項８】
前記処理部は、前記第２表示領域に、前記出力先の表示画面に表示されている画像のサムネイル画像を表示させる、請求項２に記載の医療用制御装置。
【請求項９】
前記サムネイル画像は、動画像である、請求項８に記載の医療用制御装置。
【請求項１０】
画像の入力元に関するオブジェクトが表示される第１表示領域と画像の出力先に関するオブジェクトが表示される第２表示領域との一方または双方と、前記入力元または前記出力先を制御するためのオブジェクトが表示される第３表示領域とを、１画面に表示させるステップを有する、医療用制御装置により実行される制御方法。
【請求項１１】
画像の入力元に関するオブジェクトが表示される第１表示領域と画像の出力先に関するオブジェクトが表示される第２表示領域との一方または双方と、前記入力元または前記出力先を制御するためのオブジェクトが表示される第３表示領域とを、１画面に表示させる機能を、コンピュータに実現させるためのプログラム。
【請求項１２】
画像の入力元となる装置と、  画像の出力先となる装置と、  医療用制御装置と、  を有し、  前記医療用制御装置は、  前記入力元に関するオブジェクトが表示される第１表示領域と前記出力先に関するオブジェクトが表示される第２表示領域との一方または双方と、前記入力元または前記出力先を制御するためのオブジェクトが表示される第３表示領域とを、１画面に表示させる処理部を備える、医療用制御システム。
【発明の詳細な説明】
【技術分野】
【０００１】  本開示は、医療用制御装置、制御方法、プログラム、および医療用制御システムに関する。
【背景技術】
【０００２】  通信によって複数の装置が接続された医療用制御システムに係る技術が、開発されている。医療用制御システムに係る技術としては、例えば、下記の特許文献１に記載の技術や、下記の特許文献２に記載の技術が挙げられる。
【先行技術文献】
【特許文献】
【０００３】
【特許文献１】特開２００１−０００４４９号公報
【特許文献２】特開２００６−０００５３６号公報
【発明の概要】
【発明が解決しようとする課題】
【０００４】  医療用制御システムは、例えば、画像（静止画像、または動画像）の入出力の制御を行うために、ＯＲ（Operating  room）  Ｃｏｎｔｒｏｌｌｅｒなどの医療用制御装置を有する。ここで、一般的な既存の医療用制御装置は、例えば、医療用制御システムを構成する“内視鏡などの撮像機能を有する医療機器や、手術室に設けられている撮像デバイスなどの、画像信号の信号源となる装置”と、医療用制御システムを構成する“画像を表示することが可能な表示デバイスなどの、画像の出力先となる装置”とを、１画面に表示させる。そして、既存の医療用制御装置は、例えば、医療従事者などの医療用制御システムのユーザ（以下、単に「ユーザ」と示す。）の操作に基づいて、画像の入出力の切り替えを行う。以下では、画像信号の信号源となる装置を、「入力元」と示す場合がある。また、以下では、画像の出力先となる装置を、「出力先」と示す場合がある。【０００５】  上記のように、医療用制御装置が医療用制御システムを構成する入力元および出力先を１画面に表示させることによって、入力元および出力先の一覧性が向上する。よって、上記のように、医療用制御装置が医療用制御システムを構成する入力元および出力先を１画面に表示させることによって、入力元および出力先の視認性を向上させることができる可能性は、ある。【０００６】  しかしながら、上記のような既存の医療用制御装置が用いられる場合には、画像の入出力に係る制御と、医療用制御システムを構成する装置（入力元または出力先）の制御とを、１画面で行うことはできない。【０００７】  本開示では、ユーザの操作性の向上を図ることが可能な、新規かつ改良された医療用制御装置、制御方法、プログラム、および医療用制御システムを提案する。
【課題を解決するための手段】
【０００８】  本開示によれば、画像の入力元に関するオブジェクトが表示される第１表示領域と画像の出力先に関するオブジェクトが表示される第２表示領域との一方または双方と、上記入力元または上記出力先を制御するためのオブジェクトが表示される第３表示領域とを、１画面に表示させる処理部を備える、医療用制御装置が提供される。【０００９】  また、本開示によれば、画像の入力元に関するオブジェクトが表示される第１表示領域と画像の出力先に関するオブジェクトが表示される第２表示領域との一方または双方と、上記入力元または上記出力先を制御するためのオブジェクトが表示される第３表示領域とを、１画面に表示させるステップを有する、医療用制御装置により実行される制御方法が提供される。【００１０】  また、本開示によれば、画像の入力元に関するオブジェクトが表示される第１表示領域と画像の出力先に関するオブジェクトが表示される第２表示領域との一方または双方と、上記入力元または上記出力先を制御するためのオブジェクトが表示される第３表示領域とを、１画面に表示させる機能を、コンピュータに実現させるためのプログラムが提供される。【００１１】  また、本開示によれば、画像の入力元となる装置と、画像の出力先となる装置と、医療用制御装置と、を有し、上記医療用制御装置は、上記入力元に関するオブジェクトが表示される第１表示領域と上記出力先に関するオブジェクトが表示される第２表示領域との一方または双方と、上記入力元または上記出力先を制御するためのオブジェクトが表示される第３表示領域とを、１画面に表示させる処理部を備える、医療用制御システムが提供される。
【発明の効果】
【００１２】  本開示によれば、ユーザの操作性の向上を図ることができる。【００１３】  なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１４】
【図１】本実施形態に係る医療制御システムの一例を示す説明図である。
【図２】本実施形態に係る制御方法が適用される医療制御システムにおける表示の一例を説明するための説明図である。
【図３】本実施形態に係る制御方法が適用される医療制御システムにおける表示の一例を説明するための説明図である。
【図４】本実施形態に係る制御方法が適用される医療制御システムにおける表示の一例を説明するための説明図である。
【図５】本実施形態に係る制御方法が適用される医療制御システムにおける表示の一例を説明するための説明図である。
【図６】本実施形態に係る制御方法が適用される医療制御システムにおける表示の一例を説明するための説明図である。
【図７】本実施形態に係る制御方法が適用される医療制御システムにおける表示の一例を説明するための説明図である。
【図８】本実施形態に係る制御方法が適用される医療制御システムにおける表示の一例を説明するための説明図である。
【図９】本実施形態に係る制御方法が適用される医療制御システムにおける表示の一例を説明するための説明図である。
【図１０】本実施形態に係る制御方法が適用される医療制御システムにおける表示の一例を説明するための説明図である。
【図１１】本実施形態に係る制御方法が適用される医療制御システムにおける表示の一例を説明するための説明図である。
【図１２】本実施形態に係る制御方法が適用される医療制御システムにおける表示の一例を説明するための説明図である。
【図１３】本実施形態に係る制御方法が適用される医療制御システムにおける表示の一例を説明するための説明図である。
【図１４】本実施形態に係る制御方法が適用される医療制御システムにおける表示の一例を説明するための説明図である。
【図１５】本実施形態に係る制御方法が適用される医療制御システムにおける表示の一例を説明するための説明図である。
【図１６】本実施形態に係る制御方法が適用される医療制御システムにおける表示の一例を説明するための説明図である。
【図１７】本実施形態に係る制御方法が適用される医療制御システムにおける表示の一例を説明するための説明図である。
【図１８】本実施形態に係る制御方法が適用される医療制御システムにおける表示の一例を説明するための説明図である。
【図１９Ａ】本実施形態に係る制御方法が適用される医療制御システムにおける表示の一例を説明するための説明図である。
【図１９Ｂ】本実施形態に係る制御方法が適用される医療制御システムにおける表示の一例を説明するための説明図である。
【図２０】本実施形態に係る医療用制御装置の構成の一例を示すブロック図である。
【図２１】本実施形態に係る医療用制御装置のハードウェア構成の一例を示す説明図である。
【発明を実施するための形態】
【００１５】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】  また、以下では、下記に示す順序で説明を行う。    １．本実施形態に係る制御方法    ２．本実施形態に係る医療用制御装置    ３．本実施形態に係るプログラム
【００１７】（本実施形態に係る制御方法）  まず、本実施形態に係る制御方法について説明する。以下では、本実施形態に係る制御方法に係る処理を、本実施形態に係る医療用制御装置が行う場合を例に挙げる。
【００１８】［１］本実施形態に係る制御方法に係る処理  上述したように、既存の医療用制御装置が用いられる場合には、画像の入出力に係る制御と、医療用制御システムを構成する装置（入力元または出力先）の制御とを、１画面で行うことはできない。
【００１９】  そこで、本実施形態に係る医療用制御装置は、画像の入出力に係る制御と、医療用制御システムを構成する入力元または出力先の制御とを、１画面で行うことを可能とする。
【００２０】  ここで、本実施形態に係る入力元としては、例えば、内視鏡などの撮像機能を有する医療機器や、手術室に設けられている撮像デバイス、記録媒体に記憶されている画像データを再生する機能を有する装置などの、画像信号の信号源となりうる任意の装置が、挙げられる。
【００２１】  また、本実施形態に係る出力先としては、例えば、画像を表示することが可能な表示デバイスや、画像を記録媒体に記録する機能を有する装置などの、画像の出力先となりうる任意の装置が挙げられる。
【００２２】  より具体的には、本実施形態に係る医療用制御装置は、例えば下記の（１）〜下記の（３）の表示例に示すように、複数の表示領域を１画面に表示させる（制御処理）。
【００２３】  複数の表示領域が表示される本実施形態に係る表示画面としては、例えば、タブレット型の装置、ＰＣ（Personal  Computer）などのコンピュータ、スマートフォンなどの通信装置などの、任意の装置が備える表示デバイス（または、任意の装置に接続されている表示デバイス）の表示画面が挙げられる。また、本実施形態に係る表示画面を構成する表示デバイスは、例えばタッチパネルなど、表示とユーザ操作とが可能なデバイスであってもよい。
【００２４】  本実施形態に係る医療用制御装置は、例えば、表示を行わせる命令と表示データとを含む制御データを、複数の表示領域を１画面に表示させる対象の装置（以下、「表示対象の装置」と示す場合がある。）に対して送信させることによって、複数の表示領域を１画面に表示させる。本実施形態に係る医療用制御装置は、例えば、本実施形態に係る医療用制御装置が備える通信部（後述する）または本実施形態に係る医療用制御装置に接続されている外部の通信デバイスに、制御データを送信させる。
【００２５】  上記のような制御処理を行うことによって、本実施形態に係る医療用制御装置は、画像の入出力に係る制御と、医療用制御システムを構成する入力元または出力先の制御とを、１画面で行うことを可能とする。
【００２６】  ここで、本実施形態に係る１画面に表示される表示領域としては、例えば下記に示す第１表示領域、第２表示領域、および第３表示領域が、挙げられる。    ・第１表示領域：画像の入力元に関するオブジェクトが表示される表示領域    ・第２表示領域：画像の出力先に関するオブジェクトが表示される表示領域    ・第３表示領域：入力元または出力先を制御するためのオブジェクトが表示される表示領域
【００２７】  また、本実施形態に係るオブジェクトとしては、例えば、“入力元が出力している画像や出力先に入力されている画像に対応するサムネイル画像”、“文字列”、“ボタンやスライドバーなどのユーザが操作可能な操作オブジェクト”など、表示画面に表示することが可能な任意の表示オブジェクトが挙げられる。本実施形態に係るオブジェクトの具体例については、後述する医療制御システムにおける表示の一例において示す。
【００２８】  ここで、本実施形態に係るサムネイル画像としては、静止画像、または動画像が挙げられる。また、本実施形態に係るサムネイル画像は、例えば１［ＦＰＳ］ごとなど、定期的に更新されてもよく、または、不定期に更新されてもよい。サムネイル画像が更新されることによって、入力元から出力されたより直近の画像、または、出力先に入力されているより直近の画像を、サムネイル画像に反映させることが可能となる。
【００２９】（１）制御処理による１画面の表示の第１の例  本実施形態に係る医療用制御装置は、第１表示領域、第２表示領域、および第３表示領域を、１画面に表示させる。
【００３０】  第１の例に係る表示を行う場合、本実施形態に係る医療用制御装置は、例えば、第１表示領域、第２表示領域、および第３表示領域それぞれに、下記のようなオブジェクトを表示させる。    ・第１表示領域：入力元に関するオブジェクト    ・第２表示領域：入力元の画像を表示させることが可能な出力先に関するオブジェクト    ・第３表示領域：入力元を制御するためのオブジェクト
【００３１】  第１の例に係る表示の具体例としては、例えば、後述するデバイス制御画面におけるＳｏｕｒｃｅｓ画面が挙げられる。なお、“第１の例に係る表示の具体例”、および、“第１表示領域、第２表示領域、および第３表示領域それぞれに表示されるオブジェクトの例”が、上記に示す例に限られないことは、言うまでもない。
【００３２】（２）制御処理による１画面の表示の第２の例  本実施形態に係る医療用制御装置は、第１表示領域、および第３表示領域を、１画面に表示させる。
【００３３】  第２の例に係る表示を行う場合、本実施形態に係る医療用制御装置は、例えば、第１表示領域、および第３表示領域それぞれに、下記のようなオブジェクトを表示させる。    ・第１表示領域：出力先に表示させることが可能な入力元に関するオブジェクト、または、出力先に画像を記録させることが可能な入力元に関するオブジェクト    ・第３表示領域：出力先を制御するためのオブジェクト
【００３４】  第２の例に係る表示の具体例としては、例えば、後述するデバイス制御画面におけるＭｏｎｉｔｏｒｓ画面、または、後述するデバイス制御画面におけるＲｅｃｏｒｄｅｒｓ画面が挙げられる。なお、“第２の例に係る表示の具体例”、および、“第１表示領域、および第３表示領域それぞれに表示されるオブジェクトの例”が、上記に示す例に限られないことは、言うまでもない。
【００３５】（３）制御処理による１画面の表示の第３の例  本実施形態に係る医療用制御装置は、第２表示領域、および第３表示領域を、１画面に表示させる。
【００３６】  第３の例に係る表示を行う場合、本実施形態に係る医療用制御装置は、例えば、第２表示領域、および第３表示領域それぞれに、下記のようなオブジェクトを表示させる。    ・第２表示領域：入力元の画像を表示させることが可能な出力先に関するオブジェクト    ・第３表示領域：入力元を制御するためのオブジェクト
【００３７】  第３の例に係る表示の具体例としては、例えば、後述するデバイス制御画面におけるＲｅｃｏｒｄｅｒｓ画面が挙げられる。なお、“第３の例に係る表示の具体例”、および、“第２表示領域、および第３表示領域それぞれに表示されるオブジェクトの例”が、上記に示す例に限られないことは、言うまでもない。
【００３８】  本実施形態に係る医療用制御装置は、本実施形態に係る制御方法に係る制御処理を行うことによって、例えば上記（１）に示す表示の第１の例〜上記（３）に示す表示の第３の例に示すように、第１表示領域と第２表示領域との一方または双方と、第３表示領域とを、１画面に表示させる。
【００３９】  ここで、第１表示領域は、入力元に関するオブジェクトが表示される表示領域であり、第２表示領域は、出力先に関するオブジェクトが表示される表示領域である。また、第３表示領域は、入力元または出力先を制御するためのオブジェクトが表示される表示領域である。
【００４０】  よって、制御処理が行われることによって、例えば“手術室内外に存在する入力元、出力先に対する画像信号の入出力制御と、入力元または出力先の制御とを、１画面で行わせること”が、可能となる。また、“入力元、出力先に対する画像信号の入出力制御と、入力元または出力先の制御とを、１画面で行うことが可能となること”によって、ユーザは、入力元、出力先に対する画像信号の入出力制御と、入力元または出力先の制御とを、より効率よく行うことができる。
【００４１】  したがって、本実施形態に係る医療用制御装置が、本実施形態に係る制御方法に係る制御処理を行うことによって、ユーザの操作性の向上を図ることができる。
【００４２】  なお、上記制御処理は、便宜上、本実施形態に係る制御方法に係る処理を切り分けたものである。よって、本実施形態に係る制御方法に係る処理は、例えば、上記制御処理を、（任意の切り分け方によって）２以上の処理と捉えることも可能である。
【００４３】［２］本実施形態に係る制御方法が適用される医療制御システムにおける表示の一例  次に、本実施形態に係る制御方法が適用される医療制御システムにおける表示の一例を示しつつ、本実施形態に係る制御方法に係る制御処理について説明する。
【００４４】  図１は、本実施形態に係る医療制御システム１０００の一例を示す説明図である。
【００４５】  図１は、ＩＰＣ（Internet  Protocol  Converter）、スイッチャー、エンコーダ、トランスコーダなどを介して、ＩＰ化された画像信号が装置間で伝送されるシステムの一例を示している。図１では、例えば“１０Ｇ  ＩＰ  Ｓｗｉｔｃｈｅｒ”、“ＤＶＩ  Ｓｗｉｔｃｈｅｒ”、“１Ｇ  ＩＰ  Ｓｗｉｔｃｈｅｒ”が、スイッチャーに該当する。また、図１では、例えば“Ｅｎｃｏｄｅｒ”が、エンコーダに該当し、例えば“Ｔｒａｎｓｃｏｄｅｒ” が、トランスコーダに該当する。なお、本実施形態に係る医療制御システムでは、画像信号をＩＰ化して伝送しないことも可能である。
【００４６】  また、図１では、医療制御システム１０００が、手術室内のネットワークＮ１と、手術室外のネットワークＮ２とを有する例を示している。なお、医療制御システム１０００は、例えば、手術室内のネットワークＮ１のみを有する構成であってもよい。
【００４７】  医療制御システム１０００は、例えば、医療用制御装置１００と、入力元の装置２００Ａ、２００Ｂ、…と、出力先の装置３００Ａ、３００Ｂ、…と、入力元と出力先との一方または双方の機能を有する装置４００Ａ、４００Ｂ、…と、各種制御画面が表示される表示対象の装置５００と、医療用制御装置１００により制御されるその他の装置６００Ａ、６００Ｂ、…とを有する。各装置は、例えば、ＩＰＣやスイッチャーなどの装置を介した、任意の通信方式の有線通信、または任意の通信方式の無線通信によって接続される。
【００４８】  入力元の装置２００Ａ、２００Ｂ、…としては、例えば図１に示すように、内視鏡などの撮像機能を有する医療機器（例えば入力元の装置２００Ａ）や、手術室に設けられている撮像デバイス（例えば入力元の装置２００Ｂ）などが挙げられる。以下では、入力元の装置２００Ａ、２００Ｂ、…を総称して、または、入力元の装置２００Ａ、２００Ｂ、…のうちのいずれかを指して、「入力元の装置２００」と示す場合がある。
【００４９】  出力先の装置３００Ａ、３００Ｂ、…としては、例えば、画像を表示することが可能な表示デバイスが、挙げられる。表示デバイスとしては、例えば図１に示すように、手術室に設けられているモニタ（例えば、出力先の装置３００Ａ〜３００Ｆ）や、プロジェクタなどの画像投射装置（例えば、出力先の装置３００Ｇ）、ＰＣが備えるモニタ（例えば、出力先の装置３００Ｈ〜３００Ｋ）などが挙げられる。以下では、出力先の装置３００Ａ、３００Ｂ、…を総称して、または、出力先の装置３００Ａ、３００Ｂ、…のうちのいずれかを指して、「出力先の装置３００」と示す場合がある。
【００５０】  入力元と出力先との一方または双方の機能を有する装置４００Ａ、４００Ｂ、…としては、画像を記録媒体に記録する機能と、記録媒体に記憶されている画像データを再生する機能との一方または双方の機能を有する装置が挙げられる。具体的には、入力元と出力先との一方または双方の機能を有する装置４００Ａ、４００Ｂ、…としては、例えば図１に示すように、レコーダ（例えば、装置４００Ａ、４００Ｂ）や、サーバ（例えば、装置４００Ｃ）が挙げられる。以下では、入力元と出力先との一方または双方の機能を有する装置４００Ａ、４００Ｂ、…を総称して、または、入力元と出力先との一方または双方の機能を有する装置４００Ａ、４００Ｂ、…のうちのいずれかを指して、「装置４００」と示す場合がある。また、以下では、装置４００が、レコーダである場合を主に例に挙げる。
【００５１】  表示対象の装置５００としては、例えば、タブレット型の装置、ＰＣなどのコンピュータ、スマートフォンなどの通信装置などの、任意の装置が挙げられる。図１では、表示対象の装置５００として、タッチパネルを備えるタブレット型の装置を示している。なお、医療制御システム１０００では、表示対象の装置を複数有していてもよい。また、医療制御システム１０００では、例えば、医療用制御装置１００、入力元の装置２００、出力先の装置３００、装置４００のいずれかの装置が、表示対象の装置の役目を果たしてもよい。
【００５２】  その他の装置６００Ａ、６００Ｂ、…としては、例えば図１に示すように、手術台の照明装置（その他の装置６００Ａ）や、手術台（その他の装置６００Ｂ）などが挙げられる。なお、医療用制御装置１００は、その他の装置６００Ａ、６００Ｂ、…を制御する機能を有していなくてもよい。
【００５３】  以下、図１に示すような医療制御システム１０００における、表示対象の装置５００の表示画面に表示される表示の一例として、（Ｉ）デバイス選択画面、および（ＩＩ）デバイス制御画面を示す。
【００５４】（Ｉ）デバイス選択画面  図２〜図９は、本実施形態に係る制御方法が適用される医療制御システム１０００における表示の一例を説明するための説明図である。図２〜図９は、表示対象の装置５００の表示画面に表示されるデバイス選択画面の全体、またはデバイス選択画面の一部をそれぞれ示している。以下、図２〜図９を適宜参照しつつ、デバイス選択画面について説明する。
【００５５】  図２は、デバイス選択画面の一例を示している。図２を参照すると、デバイス選択画面は、例えば、デバイスカテゴリ選択タブ（図２に示すＯ１）と、プリセットボタン（図２に示すＯ２）と、デバイス選択ボタン（図２に示すＯ３）と、場所名表示（図２に示すＯ４）と、Ｉｎｔｒａ−ＯＰスイッチ（図２に示すＯ５）と、コンテキストメニューボタン（図２に示すＯ６）とを有する。
【００５６】  デバイスカテゴリ選択タブ（図２に示すＯ１）は、表示画面に表示することが可能なデバイスのカテゴリを切り替えるためのタブである。図２では、表示画面に表示することが可能なデバイスのカテゴリとして、入力元の装置２００に対応する“Ｓｏｕｒｃｅｓ”と、出力先の装置３００に対応する“Ｍｏｎｉｔｏｒｓ”と、装置４００に対応する“Ｒｅｃｏｒｄｅｒｓ”とを示している。ここで、図２は、デバイスカテゴリ選択タブにおいて“Ｓｏｕｒｃｅｓ”が選択されている場合を示している。
【００５７】  プリセットボタン（図２に示すＯ２）は、予め設定されている画面に遷移するためのボタンである。ここで、プリセットボタンは、例えば、色を付す、点滅させるなど、強調して表示されていてもよい。
【００５８】  デバイス選択ボタン（図２に示すＯ３）は、デバイスを選択するためのボタンであり、デバイス選択ボタンが操作されることによって、後述するデバイス制御画面に遷移する。図２では、デバイスカテゴリ選択タブにおいて“Ｓｏｕｒｃｅｓ”が選択されているので、デバイス選択ボタンが操作されることによって、後述するデバイス制御画面におけるＳｏｕｒｃｅｓ画面に遷移する。
【００５９】  ここで、図２に示すデバイス選択ボタンのサイズで表示を行った際に、デバイス選択ボタンの数が１画面内に収まらない程多い場合には、例えば図３のＯに示すように、スクロールバーが表示される。
【００６０】  また、図２に示すデバイス選択ボタンのサイズで表示を行った際に、デバイス選択ボタンの数が１画面内に収まらない程多い場合には、図４に示すように、より小さいサイズで表示が行われてもよい。
【００６１】  図５は、デバイス選択ボタンの構成の一例を示しており、図２に示すデバイス選択画面に表示されているデバイス選択ボタンの構成の一例を示している。
【００６２】  図２に示すデバイス選択画面に表示されているデバイス選択ボタンは、図５のＡに示すように、例えば、サムネイル画像（図５に示すＯ１）、アイコン（図５に示すＯ２）、デバイス名表示（図５に示すＯ３）、およびステータス表示（図５に示すＯ４）を有する。
【００６３】  図５に示すサムネイル画像（図５に示すＯ１）は、入力元であるデバイスが出力している画像を示す。
【００６４】  ここで、サムネイル画像としては、静止画像が挙げられるが、動画像であってもよい。上述したように、本実施形態に係るサムネイル画像は、定期的に、または不定期に更新されうる。サムネイル画像が更新される場合には、入力元から出力されたより直近の画像を、サムネイル画像に反映させることが可能となる。
【００６５】  また、例えば、後述するデバイス制御画面において入力元であるデバイスのパラメータの調整などが行われた場合には、パラメータが調整された後に入力元から出力された画像が、サムネイル画像に反映される。一例を挙げると、後述するデバイス制御画面において入力元であるデバイスのズームに係るパラメータが調整された場合には、ズームされた画像が、サムネイル画像に反映される。
【００６６】  また、サムネイル画像が取得できない場合は、下記のような状態に応じて、図５のＢまたは図５のＣに示すような表示が行われる。    ・サムネイル未取得の場合：図５のＢ    ・未入力の場合；図５のＣ
【００６７】  アイコン（図５に示すＯ２）は、デバイスの種別を示すアイコンである。
【００６８】  デバイス名表示（図５に示すＯ３）は、デバイスの名称を示す。デバイス名表示（図５に示すＯ３）の領域は、例えば、長いデバイス名を表示することができるように、デバイス選択ボタンの幅いっぱいに設定される。
【００６９】  ステータス表示（図５に示すＯ４）は、アイコン程度の簡単な表示によって、デバイスの状態を示す。ステータス表示は、例えば図５のＡに示すように四隅に表示される。また、ステータス表示が四隅に表示される場合、ステータス表示は、最大４つまで表示することが可能である。
【００７０】  図６は、デバイス選択ボタンの構成の他の例を示しており、図４に示すデバイス選択画面に表示されているデバイス選択ボタンの構成の一例を示している。
【００７１】  図４に示すデバイス選択画面に表示されているデバイス選択ボタンは、図６のＡに示すように、例えば図４に示すデバイス選択ボタンと同様に、サムネイル画像（図６に示すＯ１）、アイコン（図６に示すＯ２）、デバイス名表示（図６に示すＯ３）、およびステータス表示（図６に示すＯ４）を有する。
【００７２】  再度図２を参照して、デバイス選択画面の一例を説明する。場所名表示（図２に示すＯ４）は、現在選択されている手術室名などの場所を示す。
【００７３】  Ｉｎｔｒａ−ＯＰスイッチ（図２に示すＯ５）は、手術中であるか否かを切り替えるスイッチである。ここで、Ｉｎｔｒａ−ＯＰスイッチが手術中であることを示すオン状態の場合には、デバイス選択画面、および後述するデバイス制御画面において、予め設定されているユーザの操作、および各種データの編集が制限される。
【００７４】  図７は、Ｉｎｔｒａ−ＯＰスイッチの状態の一例を示している。Ｉｎｔｒａ−ＯＰスイッチが手術中であることを示さないオフ状態の場合には、Ｉｎｔｒａ−ＯＰスイッチは、例えば、図７のＡに示すような状態となる。また、Ｉｎｔｒａ−ＯＰスイッチが手術中であることを示すオン状態の場合には、Ｉｎｔｒａ−ＯＰスイッチは、例えば、図７のＢに示すような状態となり、オフ状態の場合よりも強調して表示される。
【００７５】  図７のＢに示すように、オン状態の場合におけるＩｎｔｒａ−ＯＰスイッチをオフ状態の場合におけるＩｎｔｒａ−ＯＰスイッチよりも強調して表示させることによって、例えば、手術中であることを示す状態であることをユーザに認識させることが可能となる。
【００７６】  再度図２を参照して、デバイス選択画面の一例を説明する。コンテキストメニューボタン（図２に示すＯ６）は、ユーザに細かな操作や、各種データの編集などを行わせるためのメニューボタンである。
【００７７】  図８は、コンテキストメニューボタンが操作された場合に表示されるコンテキストメニューの一例を示している。コンテキストメニューボタンが操作された場合には、図８のＯに示すように、様々な操作やデータの編集に係るコンテクストメニューが表示される。
【００７８】  また、Ｉｎｔｒａ−ＯＰスイッチが手術中であることを示すオン状態の場合には、例えば、コンテキストメニューに対する操作が制限される。コンテキストメニューに対する操作の制限方法としては、例えば、“コンテキストメニューの制限される項目をグレーアウトして、操作を行うことができなくすること”や、“コンテキストメニューボタンに対する操作を無効とすること（この場合、例えば、コンテキストメニュー自体が表示されない。）”などが挙げられる。
【００７９】  デバイスカテゴリ選択タブにおいて“Ｓｏｕｒｃｅｓ”が選択されている場合には、例えば図２に示すようなデバイス選択画面が表示される。
【００８０】  図９は、デバイス選択画面の他の例を示しており、デバイスカテゴリ選択タブにおいて“Ｍｏｎｉｔｏｒｓ”が選択されている場合を示している。
【００８１】  デバイスカテゴリ選択タブにおいて“Ｍｏｎｉｔｏｒｓ”が選択されている場合においても、デバイス選択画面は、図２に示す“Ｓｏｕｒｃｅｓ”が選択されている場合と同様の構成を有する。
【００８２】  ここで、図２に示すデバイス選択画面と、図９に示すデバイス選択画面との相違点は、“デバイス選択ボタンが操作されることによって、後述するデバイス制御画面におけるＭｏｎｉｔｏｒｓ画面に遷移する点”である。
【００８３】  また、図示はしていないが、デバイスカテゴリ選択タブにおいて“Ｒｅｃｏｒｄｅｒｓ”が選択されている場合においても、デバイス選択画面は、図２に示す“Ｓｏｕｒｃｅｓ”が選択されている場合と同様の構成を有する。
【００８４】  ここで、図２に示すデバイス選択画面と、デバイスカテゴリ選択タブにおいて“Ｒｅｃｏｒｄｅｒｓ”が選択されている場合におけるデバイス選択画面との相違点は、“デバイス選択ボタンが操作されることによって、後述するデバイス制御画面におけるＲｅｃｏｒｄｅｒｓ画面に遷移する点”である。
【００８５】（ＩＩ）デバイス制御画面  次に、デバイス制御画面について説明する。デバイス制御画面は、本実施形態に係る制御方法に係る制御処理によって表示させる画面の一例に該当する。以下では、医療用制御装置１００が行う制御処理についても、適宜説明を行う。
【００８６】  図１０は、本実施形態に係る制御方法が適用される医療制御システム１０００における表示の一例を説明するための説明図であり、表示対象の装置５００の表示画面に表示されるデバイス制御画面の構成の一例を示している。
【００８７】  デバイス制御画面の構成は、例えば下記の３つのペイン（Pane。表示領域）で構成される。    ・Ｄｅｖｉｃｅペイン（以下、符号Ｐ１で表す。）    ・Ｃｏｎｔｒｏｌペイン（以下、符号Ｐ２で表す。）    ・Ｃｏｎｎｅｃｔペイン（以下、符号Ｐ３で表す。）
【００８８】  ここで、３つのペインの表示位置は、例えば、デバイス制御画面の種類（例えば、後述するＳｏｕｒｃｅｓ画面、Ｍｏｎｉｔｏｒｓ画面、およびＲｅｃｏｒｄｅｒｓ画面）によって変わる。
【００８９】  以下、デバイス制御画面の一例として、Ｓｏｕｒｃｅｓ画面、Ｍｏｎｉｔｏｒｓ画面、およびＲｅｃｏｒｄｅｒｓ画面それぞれを説明する。
【００９０】（ＩＩ−１）デバイス制御画面の第１の例：Ｓｏｕｒｃｅｓ画面  図１１〜図１６は、本実施形態に係る制御方法が適用される医療制御システム１０００における表示の一例を説明するための説明図である。図１１〜図１６は、表示対象の装置５００の表示画面に表示されるデバイス制御画面の全体、またはデバイス制御画面の一部をそれぞれ示している。
【００９１】  以下、図１１〜図１６を適宜参照しつつ、デバイス制御画面の第１の例について説明する。ここで、デバイス制御画面の第１の例は、“第１表示領域、第２表示領域、および第３表示領域を、１画面に表示させる場合における表示例”に該当する。
【００９２】  図１１は、デバイス制御画面におけるＳｏｕｒｃｅｓ画面の一例を示している。
【００９３】  図１１に示すＳｏｕｒｃｅｓ画面には、例えば、デバイスカテゴリ選択タブにおいて“Ｓｏｕｒｃｅｓ”が選択されているデバイス選択画面に遷移するためのボタン（図１１に示すＯ）が、設けられる。ユーザは、上記ボタン（図１１に示すＯ）を操作することによって、デバイス選択画面において他のデバイスを再度選択することができる。
【００９４】  また、図１１に示すＳｏｕｒｃｅｓ画面は、表示画面の向かって左側から順に、ＤｅｖｉｃｅペインＰ１、ＣｏｎｔｒｏｌペインＰ２、およびＣｏｎｎｅｃｔペインＰ３を有する。
【００９５】  図１１に示すＤｅｖｉｃｅペインＰ１には、デバイスカテゴリ選択タブにおいて“Ｓｏｕｒｃｅｓ”が選択されているデバイス選択画面において選択された、デバイス選択ボタン（図２に示すＯ３）に対応するデバイスの情報が、表示される。ここで、図１１に示すＤｅｖｉｃｅペインＰ１は、本実施形態に係る第１表示領域の一例に該当する。
【００９６】  図１２は、ＤｅｖｉｃｅペインＰ１の構成の一例を示している。ＤｅｖｉｃｅペインＰ１は、例えば、アイコン（図１２に示すＯ１）、デバイス名表示（図１２に示すＯ２）、サムネイル画像（図１２に示すＯ３）、プロパティ表示（図１２に示すＯ４）、およびステータス表示（図１２に示すＯ５）を有する。
【００９７】  アイコン（図１２に示すＯ１）は、デバイスの種別を示すアイコンである。
【００９８】  デバイス名表示（図１２に示すＯ２）は、デバイスの名称を示す。デバイス名表示（図１２に示すＯ２）の領域は、例えば、長いデバイス名を表示することができるように、ＤｅｖｉｃｅペインＰ１の幅いっぱいに設定される。
【００９９】  サムネイル画像（図１２に示すＯ３）は、入力元であるデバイスが出力している画像を示す。
【０１００】  ここで、サムネイル画像としては、静止画像が挙げられるが、動画像であってもよい。上述したように、本実施形態に係るサムネイル画像は、定期的に、または不定期に更新されうる。サムネイル画像が更新される場合には、入力元から出力されたより直近の画像を、サムネイル画像に反映させることが可能となる。
【０１０１】  また、例えば、デバイス制御画面のＣｏｎｔｒｏｌペインＰ２において入力元であるデバイスのパラメータの調整などが行われた場合には、パラメータが調整された後に入力元から出力された画像が、サムネイル画像に反映される。
【０１０２】  また、サムネイル画像が取得できない場合、サムネイル画像の領域では、図５のＢまたは図５のＣに示すような表示が行われてもよい。
【０１０３】  プロパティ表示（図１２に示すＯ４）は、例えば、デバイスから取得される情報を示す。図１２では、モデル名と製造者とが表示されている例を示している。
【０１０４】  ステータス表示（図１２に示すＯ５）は、例えばエラー表示や動作状態などの、デバイスの状態を示す。
【０１０５】  再度図１１を参照して、デバイス制御画面におけるＳｏｕｒｃｅｓ画面の一例を説明する。図１１に示すＣｏｎｔｒｏｌペインＰ２には、ＤｅｖｉｃｅペインＰ１に示されているデバイスを制御するためのオブジェクトが表示される。ここで、図１１に示すＣｏｎｔｒｏｌペインＰ２は、本実施形態に係る第３表示領域の一例に該当する。また、ＤｅｖｉｃｅペインＰ１は本実施形態に係る第１表示領域の一例に該当するので、図１１に示すＣｏｎｔｒｏｌペインＰ２は、入力元の装置２００を制御するためのオブジェクトを表示させる表示領域であるといえる。
【０１０６】  図１３は、ＣｏｎｔｒｏｌペインＰ２の構成の一例を示している。ＣｏｎｔｒｏｌペインＰ２は、例えば、Ｃｏｎｔｒｏｌタブ（図１３に示すＯ１）、およびパラメータ編集領域（図１３に示すＯ２）を有する。
【０１０７】  Ｃｏｎｔｒｏｌタブ（図１３に示すＯ１）は、制御のカテゴリごとのタブである。図１１示すＣｏｎｔｒｏｌペインＰ２では、１つのＣｏｎｔｒｏｌタブが設けられている例を示しているが、複数のＣｏｎｔｒｏｌタブが設けられていてもよい。
【０１０８】  パラメータ編集領域（図１３に示すＯ２）には、ＤｅｖｉｃｅペインＰ１に示されているデバイスを操作するためのオブジェクトや、ＤｅｖｉｃｅペインＰ１に示されているデバイスのパラメータを調整するためのオブジェクトが表示される。図１３に示すパラメータ編集領域（図１３に示すＯ２）では、パン操作およびチルト操作を行うためのボタンと、ズーム量を調整するための調整ボタンおよび調整スライドバーと、フォーカス量を調整するための調整ボタンおよび調整スライドバーとが、設けられている例を示している。
【０１０９】  なお、パラメータ編集領域（図１３に示すＯ２）内に、オブジェクトを表示しきれない場合には、スクロール表示が可能であってもよい。また、パラメータ編集領域（図１３に示すＯ２）には、現在のズーム量やフォーカス量などが数値で表示されていてもよい。また、パラメータ編集領域（図１３に示すＯ２）に表示される項目は、ＤｅｖｉｃｅペインＰ１に示されているデバイスの種類によって変わりうる。
【０１１０】  再度図１１を参照して、デバイス制御画面におけるＳｏｕｒｃｅｓ画面の一例を説明する。図１１に示すＣｏｎｎｅｃｔペインＰ３には、ＤｅｖｉｃｅペインＰ１に示されているデバイスから出力される画像を表示させることが可能な、出力先の装置３００に関するオブジェクトが表示される。ここで、図１１に示すＣｏｎｎｅｃｔペインＰ３は、本実施形態に係る第２表示領域の一例に該当する。また、ＤｅｖｉｃｅペインＰ１は本実施形態に係る第１表示領域の一例に該当するので、図１１に示すＣｏｎｎｅｃｔペインＰ３は、入力元の装置２００の画像を表示させることが可能な出力先の装置３００に関するオブジェクトを表示させる表示領域であるといえる。
【０１１１】  図１４は、ＣｏｎｎｅｃｔペインＰ３の構成の一例を示している。ＣｏｎｎｅｃｔペインＰ３は、例えば、接続先一覧表示（図１４に示すＯ１）、および接続表示（図１４に示すＯ２）を有する。
【０１１２】  接続先一覧表示（図１４に示すＯ１）は、ＤｅｖｉｃｅペインＰ１に示されているデバイスから出力される画像を表示させることが可能な、出力先の装置３００の一覧を示す。接続先一覧表示（図１４に示すＯ１）に表示される出力先の装置３００としては、例えば、医療制御システム１０００の構築時（または更新時）に、ＤｅｖｉｃｅペインＰ１に示されているデバイスとの正常な接続が保証されている出力先の装置３００が、挙げられる。
【０１１３】  また、接続先一覧表示（図１４に示すＯ１）は、例えば、“出力先の装置３００に表示されている画像に対応するサムネイル画像”、“出力先の装置３００を示すアイコン”、および“出力先の装置３００のデバイス名表示”を有する。
【０１１４】  ここで、サムネイル画像としては、静止画像が挙げられるが、動画像であってもよい。上述したように、本実施形態に係るサムネイル画像は、定期的に、または不定期に更新されうる。サムネイル画像が更新される場合には、出力先の装置３００に入力されているより直近の画像を、サムネイル画像に反映させることが可能となる。また、例えば、図１３に示すデバイス制御画面のＣｏｎｔｒｏｌペインＰ２において入力元の装置２００のパラメータの調整などが行われた場合、当該入力元の装置２００から出力された画像を表示している出力先の装置３００に対応するサムネイル画像には、パラメータが調整された後に当該入力元の装置２００から出力された画像が反映されることとなる。
【０１１５】  また、サムネイル画像が取得できない場合、サムネイル画像の領域では、図５のＢまたは図５のＣに示すような表示が行われてもよい。
【０１１６】  医療用制御装置１００は、例えば図１４に示す接続先一覧表示（図１４に示すＯ１）のように、第２表示領域に該当するＣｏｎｎｅｃｔペインＰ３に、出力先の表示画面に表示されている画像のサムネイル画像を表示させることが、可能である。
【０１１７】  接続表示（図１４に示すＯ２）は、ＣｏｎｎｅｃｔペインＰ３に対するユーザの操作によって選択された出力先の装置３００を示す。
【０１１８】  図１４では、選択された出力先の装置３００が、矢印で表されている例を示している。なお、選択された出力先の装置３００の明示方法は、図１４に示す例に限られない。また、ＣｏｎｎｅｃｔペインＰ３に対するユーザの操作によって、複数の出力先の装置３００が選択された場合には、複数の接続表示がＣｏｎｎｅｃｔペインＰ３に表示される。
【０１１９】  ここで、ＣｏｎｎｅｃｔペインＰ３に対するユーザの操作としては、例えば下記に示す例が挙げられる。なお、ＣｏｎｎｅｃｔペインＰ３に対するユーザの操作の例が、下記に示す例に限られないことは、言うまでもない。    ・ＣｏｎｎｅｃｔペインＰ３をタッチする操作（表示対象の装置５００の表示デバイスがタッチパネルである場合）    ・物理的なボタンなどの表示対象の装置５００が備える操作デバイス、または、リモート・コントローラなどの外部操作デバイスを用いた操作
【０１２０】  医療用制御装置１００は、例えば図１４に示す接続表示（図１４に示すＯ２）のように、第２表示領域に該当するＣｏｎｎｅｃｔペインＰ３に対する操作に基づいて、第２表示領域に対する操作により選択された、入力元の装置２００の画像を表示させる出力先の装置３００を、明示させる。
【０１２１】  なお、デバイス制御画面におけるＳｏｕｒｃｅｓ画面は、図１１に示す例に限られない。
【０１２２】  図１５は、ＤｅｖｉｃｅペインＰ１に示されているデバイスから出力される画像の一例を示している。
【０１２３】  ＤｅｖｉｃｅペインＰ１に示されているデバイスから出力される画像の中には、例えば、４Ｋ解像度の画像や８Ｋ解像度の画像などの、２Ｋ解像度の画像やＨＤ（High  Definition）解像度の画像よりも高解像度の画像が含まれる場合がありうる。
【０１２４】  ここで、ＤｅｖｉｃｅペインＰ１に示されているデバイスから出力される画像が、上記のような高解像度の画像である場合には、“例えば図１５のＢ、図１５のＣに示すような、図１５のＡに示す画像の一部に対応する画像を、異なる出力先の装置３００に表示させたいという要望が、医療従事者などのユーザからでてくること”が、想定される。
【０１２５】  よって、デバイス制御画面におけるＳｏｕｒｃｅｓ画面は、ユーザの操作に基づいて、画像の一部に対応する画像を異なる出力先の装置３００に表示させることが可能な画面であってもよい。画像の一部に対応する画像を異なる出力先の装置３００に表示させることによって、例えば、“１つの入力元の装置２００の画像から画角を変えた画像を、異なる出力先の装置３００に表示させること”が実現される。
【０１２６】  図１６は、デバイス制御画面におけるＳｏｕｒｃｅｓ画面の他の例を示している。
【０１２７】  図１６に示すＳｏｕｒｃｅｓ画面の構成は、図１１に示すＳｏｕｒｃｅｓ画面の構成と基本的に同様であるが、“ＤｅｖｉｃｅペインＰ１に示されているデバイスから出力される画像の一部に対応する画像を表示させる出力先の装置３００が、明示される点”が、異なる。
【０１２８】  例えば、ＤｅｖｉｃｅペインＰ１に対するユーザの操作によって、図１６のＯ１、Ｏ２に示すようにサムネイル画像の一部が選択され、かつ、ＣｏｎｎｅｃｔペインＰ３に対するユーザの操作によって出力先の装置３００が選択された場合には、図１６のＯ３、Ｏ４に示すように、選択されたサムネイル画像の一部の画像を表示する出力先の装置３００が、さらに明示される。
【０１２９】  ここで、ＤｅｖｉｃｅペインＰ１に対するユーザの操作としては、例えば下記に示す例が挙げられる。なお、ＤｅｖｉｃｅペインＰ１に対するユーザの操作の例が、下記に示す例に限られないことは、言うまでもない。    ・ＤｅｖｉｃｅペインＰ１のサムネイル画像に対するピンチ操作など、表示画面上の領域を選択することが可能な操作（表示対象の装置５００の表示デバイスがタッチパネルである場合）    ・物理的なボタンなどの表示対象の装置５００が備える操作デバイス、または、リモート・コントローラなどの外部操作デバイスを用いた操作
【０１３０】  医療用制御装置１００は、例えば図１６に示すＯ１〜Ｏ４のように、第１表示領域に該当するＤｅｖｉｃｅペインＰ１に対する操作、および第２表示領域に該当するＣｏｎｎｅｃｔペインＰ３に対する操作に基づいて、“ＣｏｎｎｅｃｔペインＰ３に対する操作により選択された、ＤｅｖｉｃｅペインＰ１に対する操作により選択された入力元の装置２００の画像の一部に対応する画像を表示させる、出力先の装置３００”を、さらに明示させてもよい。
【０１３１】（ＩＩ−２）デバイス制御画面の第２の例：Ｍｏｎｉｔｏｒｓ画面  図１７、図１８は、本実施形態に係る制御方法が適用される医療制御システム１０００における表示の一例を説明するための説明図である。図１７、図１８は、表示対象の装置５００の表示画面に表示されるデバイス制御画面の全体、またはデバイス制御画面の一部をそれぞれ示している。
【０１３２】  以下、図１７、図１８を適宜参照しつつ、デバイス制御画面の第２の例について説明する。ここで、デバイス制御画面の第２の例は、“第１表示領域、および第３表示領域を、１画面に表示させる場合における表示例”に該当する。
【０１３３】  図１７は、デバイス制御画面におけるＭｏｎｉｔｏｒｓ画面の一例を示している。
【０１３４】  図１７に示すＭｏｎｉｔｏｒｓ画面は、表示画面の向かって左側から順に、ＣｏｎｎｅｃｔペインＰ３、ＤｅｖｉｃｅペインＰ１、およびＣｏｎｔｒｏｌペインＰ２を有する。
【０１３５】  図１７に示すＣｏｎｎｅｃｔペインＰ３には、デバイスカテゴリ選択タブにおいて“Ｍｏｎｉｔｏｒｓ”が選択されているデバイス選択画面において選択された出力先の装置３００に表示させることが可能な、入力元の装置２００に関するオブジェクトが、表示される。ここで、図１７に示すＣｏｎｎｅｃｔペインＰ３は、本実施形態に係る第１表示領域の一例に該当する。
【０１３６】  図１７では、ＣｏｎｎｅｃｔペインＰ３に、入力元の装置２００それぞれに関するオブジェクトが、一覧表示されている例を示している。入力元の装置２００に関するオブジェクトとしては、例えば、図１４に示す接続先一覧表示（図１４に示すＯ１）と同様に、サムネイル画像、アイコン、デバイス名表示が挙げられる。
【０１３７】  また、ＣｏｎｎｅｃｔペインＰ３に表示される入力元の装置２００としては、例えば、医療制御システム１０００の構築時（または更新時）に、ＤｅｖｉｃｅペインＰ１に示されているデバイスとの正常な接続が保証されている入力元の装置２００が、挙げられる。
【０１３８】  図１７に示すＤｅｖｉｃｅペインＰ１には、デバイスカテゴリ選択タブにおいて“Ｍｏｎｉｔｏｒｓ”が選択されているデバイス選択画面において選択されたデバイス選択ボタンに対応する、デバイスの情報が、表示される。ここで、図１７に示すＤｅｖｉｃｅペインＰ１の構成は、例えば図１２に示すＤｅｖｉｃｅペインＰ１の構成と同様である。
【０１３９】  図１７に示すＣｏｎｔｒｏｌペインＰ２には、ＤｅｖｉｃｅペインＰ１に示されているデバイスを制御するためのオブジェクトが表示される。ここで、図１７に示すＣｏｎｔｒｏｌペインＰ２は、本実施形態に係る第３表示領域の一例に該当する。また、ＤｅｖｉｃｅペインＰ１に示されているデバイスは、デバイスカテゴリ選択タブにおいて“Ｍｏｎｉｔｏｒｓ”が選択されているデバイス選択画面において選択された出力先の装置３００である。よって、図１７に示すＣｏｎｔｒｏｌペインＰ２は、出力先の装置３００を制御するためのオブジェクトを表示させる表示領域であるといえる。
【０１４０】  デバイス制御画面におけるＭｏｎｉｔｏｒｓ画面のＣｏｎｔｒｏｌペインＰ２に表示される、ＤｅｖｉｃｅペインＰ１に示されているデバイスを制御するためのオブジェクトとしては、下記に示す例が挙げられる。    ・図１７の“Ｓｗａｐ”に示すボタン：ＤｅｖｉｃｅペインＰ１に示されているデバイスが、ＰｉｎＰ機能（独立して画像を表示することが可能な表示領域を１画面内に複数設けることが可能な機能）を有している場合に、メインとなる表示領域と、サブとなる表示領域とを切り替えるためのボタン    ・図１７の“Ｆｌｉｐ”に示すボタン：ＤｅｖｉｃｅペインＰ１に示されているデバイスにおける表示の向きを制御するためのボタン    ・図１７の“Ｃｏｎｔｒａｓｔ”に示す調整ボタン：ＤｅｖｉｃｅペインＰ１に示されているデバイスにおけるコントラストを調整するためのボタン    ・図１７の“Ｃｏｌｏｒ”に示す調整ボタン：ＤｅｖｉｃｅペインＰ１に示されているデバイスにおける輝度、色相、あるいは、ＲＧＢのバランスを調整するためのボタン    ・図１７の“２Ｄ／３Ｄ  Ｍｏｄｅ”に示すボタン：ＤｅｖｉｃｅペインＰ１に示されているデバイスにおける立体視に係る表示モードの切り替えを、制御するためのボタン
【０１４１】  なお、デバイス制御画面におけるＭｏｎｉｔｏｒｓ画面のＣｏｎｔｒｏｌペインＰ２に表示される、ＤｅｖｉｃｅペインＰ１に示されているデバイスを制御するためのオブジェクトは、上記に示す例に限られない。
【０１４２】  例えば、ＤｅｖｉｃｅペインＰ１に示されているデバイスがＰｉｎＰ機能を有する場合には、デバイス制御画面におけるＭｏｎｉｔｏｒｓ画面のＣｏｎｔｒｏｌペインＰ２には、ＰｉｎＰ機能における表示領域の構成を変えるためのオブジェクトが、さらに表示されていてもよい。なお、ＰｉｎＰ機能における表示領域の構成を変えるためのオブジェクトは、ＤｅｖｉｃｅペインＰ１などの他のペインに表示することも可能である。ＰｉｎＰ機能における表示領域の構成を変えるためのオブジェクトが、図１７に示すＣｏｎｔｒｏｌペインＰ２以外のペインに表示される場合、ＰｉｎＰ機能における表示領域の構成を変えるためのオブジェクトが表示されるペインは、本実施形態に係る第３表示領域の役目を果たすこととなる。
【０１４３】  ＰｉｎＰ機能における表示領域の構成としては、例えば図１８のＡ〜図１８のＤに示す例が挙げられる。図１８のＡ〜図１８のＤでは、“ａ”、“ｂ”、“ｃ”、“ｄ”で示す表示領域が、ＰｉｎＰ機能における表示領域に該当する。
【０１４４】  出力先の装置３００に該当するＤｅｖｉｃｅペインＰ１に示されているデバイスがＰｉｎＰ機能を有する場合には、医療用制御装置１００は、例えば図１７の“Ｓｗａｐ”に示すボタンのように、“第３表示領域に該当するＣｏｎｔｒｏｌペインＰ２に、出力先の装置３００におけるＰｉｎＰに係る表示領域のうちの１または２以上への表示を制御するためのオブジェクト”を、表示させてもよい。
【０１４５】  また、デバイス制御画面におけるＭｏｎｉｔｏｒｓ画面のＣｏｎｔｒｏｌペインＰ２に表示される、ＤｅｖｉｃｅペインＰ１に示されているデバイスを制御するためのオブジェクトは、ＤｅｖｉｃｅペインＰ１に示されているデバイスの種類によって、変わりうる。
【０１４６】  例えば、ＤｅｖｉｃｅペインＰ１に示されているデバイスが、ＰｉｎＰ機能を有していない場合には、図１７の“Ｆｌｉｐ”に示すボタンは、表示されなくてもよい。
【０１４７】（ＩＩ−３）デバイス制御画面の第３の例：Ｒｅｃｏｒｄｅｒｓ画面  図１９Ａ、図１９Ｂは、本実施形態に係る制御方法が適用される医療制御システム１０００における表示の一例を説明するための説明図である。図１９Ａ、図１９Ｂは、表示対象の装置５００の表示画面に表示されるデバイス制御画面の全体をそれぞれ示している。図１９Ａに示すデバイス制御画面と、図１９Ｂに示すデバイス制御画面とは、ユーザの操作によって切り替えられる。
【０１４８】  以下、図１９Ａ、図１９Ｂを適宜参照しつつ、デバイス制御画面の第３の例について説明する。ここで、図１９Ａに示すデバイス制御画面の第３の例は、“第１表示領域、および第３表示領域を、１画面に表示させる場合における表示例”に該当する。また、図１９Ｂに示すデバイス制御画面の第３の例は、“第２表示領域、および第３表示領域を、１画面に表示させる場合における表示例”に該当する。
【０１４９】  図１９Ａは、デバイス制御画面におけるＲｅｃｏｒｄｅｒｓ画面の一例を示している。
【０１５０】  図１９Ａに示すＲｅｃｏｒｄｅｒｓ画面は、図１７に示すＭｏｎｉｔｏｒｓ画面と同様に、表示画面の向かって左側から順に、ＣｏｎｎｅｃｔペインＰ３、ＤｅｖｉｃｅペインＰ１、およびＣｏｎｔｒｏｌペインＰ２を有する。
【０１５１】  図１９Ａに示すＣｏｎｎｅｃｔペインＰ３には、デバイスカテゴリ選択タブにおいて“Ｒｅｃｏｒｄｅｒｓ”が選択されているデバイス選択画面において選択された装置４００に画像信号を出力することが可能な、入力元の装置２００に関するオブジェクトが、表示される。ここで、図１９Ａに示すＣｏｎｎｅｃｔペインＰ３は、本実施形態に係る第１表示領域の一例に該当する。
【０１５２】  図１９Ａでは、図１７と同様に、ＣｏｎｎｅｃｔペインＰ３に、入力元の装置２００それぞれに関するオブジェクトが、一覧表示されている例を示している。また、図１９Ａに示すＣｏｎｎｅｃｔペインＰ３に表示される入力元の装置２００としては、例えば、医療制御システム１０００の構築時（または更新時）に、ＤｅｖｉｃｅペインＰ１に示されているデバイスとの正常な接続が保証されている入力元の装置２００が、挙げられる。
【０１５３】  図１９Ａに示すＤｅｖｉｃｅペインＰ１には、デバイスカテゴリ選択タブにおいて“Ｒｅｃｏｒｄｅｒｓ”が選択されているデバイス選択画面において選択されたデバイス選択ボタンに対応する、デバイスの情報が、表示される。ここで、図１９Ａに示すＤｅｖｉｃｅペインＰ１の構成は、例えば図１２に示すＤｅｖｉｃｅペインＰ１の構成と同様である。
【０１５４】  図１９Ａに示すＣｏｎｔｒｏｌペインＰ２には、ＤｅｖｉｃｅペインＰ１に示されているデバイスを制御するためのオブジェクトが表示される。ここで、図１９Ａに示すＣｏｎｔｒｏｌペインＰ２は、本実施形態に係る第３表示領域の一例に該当する。また、ＤｅｖｉｃｅペインＰ１に示されているデバイスは、デバイスカテゴリ選択タブにおいて“Ｒｅｃｏｒｄｅｒｓ”が選択されているデバイス選択画面において選択された装置４００である。よって、図１９Ａに示すＣｏｎｔｒｏｌペインＰ２は、装置４００を制御するためのオブジェクトを表示させる表示領域であるといえる。
【０１５５】  デバイス制御画面におけるＲｅｃｏｒｄｅｒｓ画面のＣｏｎｔｒｏｌペインＰ２に表示される、ＤｅｖｉｃｅペインＰ１に示されているデバイスを制御するためのオブジェクトとしては、下記に示す例が挙げられる。なお、デバイス制御画面におけるＲｅｃｏｒｄｅｒｓ画面のＣｏｎｔｒｏｌペインＰ２に表示される、ＤｅｖｉｃｅペインＰ１に示されているデバイスを制御するためのオブジェクトが、下記に示す例に限られないことは、言うまでもない。    ・記録媒体への画像データの記録を開始させるための録画ボタン（図１９Ａに示すＯ１）    ・行われている処理を停止させるための停止ボタン（図１９Ａに示すＯ２）    ・行われている処理を一時的に停止させるための停止ボタン（図１９Ａに示すＯ３）    ・記録媒体に記憶されている画像データの再生を開始させるための再生ボタン（図１９Ａに示すＯ４）    ・再生されている画像の巻き戻しをさせるための巻き戻しボタン（図１９Ａに示すＯ５）    ・再生されている画像の早送りをさせるための早送りボタン（図１９Ａに示すＯ６）
【０１５６】  図１９Ａに示すデバイス制御画面によって、例えば、ＣｏｎｎｅｃｔペインＰ３に対するユーザの操作によって選択された入力元の装置２００から、ＤｅｖｉｃｅペインＰ１に示されているデバイスへの画像データの記録を制御することが、可能となる。
【０１５７】  図１９Ｂは、デバイス制御画面におけるＲｅｃｏｒｄｅｒｓ画面の他の例を示している。
【０１５８】  図１９Ｂに示すＲｅｃｏｒｄｅｒｓ画面は、表示画面の向かって左側から順に、ＤｅｖｉｃｅペインＰ１、ＣｏｎｔｒｏｌペインＰ２、およびＣｏｎｎｅｃｔペインＰ４を有する。
【０１５９】  図１９Ｂに示すＤｅｖｉｃｅペインＰ１、および図１９Ｂに示すＣｏｎｔｒｏｌペインＰ２それぞれは、図１９Ａに示すＤｅｖｉｃｅペインＰ１、および図１９Ａに示すＣｏｎｔｒｏｌペインＰ２と同一である。ここで、図１９Ｂに示すＣｏｎｔｒｏｌペインＰ２は、本実施形態に係る第３表示領域の一例に該当する。また、ＤｅｖｉｃｅペインＰ１に示されているデバイスは、デバイスカテゴリ選択タブにおいて“Ｒｅｃｏｒｄｅｒｓ”が選択されているデバイス選択画面において選択された装置４００である。よって、図１９Ｂに示すＣｏｎｔｒｏｌペインＰ２は、装置４００を制御するためのオブジェクトを表示させる表示領域であるといえる。
【０１６０】  図１９Ｂに示すＣｏｎｎｅｃｔペインＰ４は、図１１、図１４に示すＣｏｎｎｅｃｔペインＰ３と同様に、ＤｅｖｉｃｅペインＰ１に示されているデバイスから出力される画像を表示させることが可能な、出力先の装置３００に関するオブジェクトが表示される。ここで、図１９Ｂに示すＣｏｎｎｅｃｔペインＰ４は、本実施形態に係る第２表示領域の一例に該当する。
【０１６１】  上記のように、図１９Ｂに示すＣｏｎｎｅｃｔペインＰ４は、図１１、図１４に示すＣｏｎｎｅｃｔペインＰ３と同様に、本実施形態に係る第２表示領域に該当する。よって、医療用制御装置１００は、図１１、図１４に示すＣｏｎｎｅｃｔペインＰ３と同様に、第２表示領域に該当するＣｏｎｎｅｃｔペインＰ４に、出力先の表示画面に表示されている画像のサムネイル画像を表示させることが、可能である。
【０１６２】  図１９Ｂに示すデバイス制御画面によって、例えば、ＤｅｖｉｃｅペインＰ１に示されているデバイスにおいて再生された画像を、ＣｏｎｎｅｃｔペインＰ４に対するユーザの操作によって選択された出力先の装置３００に表示させることが、可能となる。
【０１６３】  ここで、デバイスカテゴリ選択タブにおいて“Ｒｅｃｏｒｄｅｒｓ”が選択されているデバイス選択画面において選択された装置４００の中には、画像の記録機能と画像の再生機能との双方を有している装置、すなわち、出力先および入力元として機能する装置が存在しうる。
【０１６４】  上記のような出力先および入力元として機能する装置４００を制御するためには、図１９Ａに示すデバイス制御画面と、図１９Ｂに示すデバイス制御画面との一方のデバイス制御画面では、十分ではない。
【０１６５】  ここで、例えば、図１９Ａに示すデバイス制御画面に図１９Ｂに示すＣｏｎｎｅｃｔペインＰ４をさらに表示させれば、上記のような出力先および入力元として機能する装置４００を十分に制御することが可能となる。しかしながら、表示対象の装置５００が、タブレット型の装置である場合など、表示画面のサイズや解像度が十分に大きくない場合には、図１９Ａに示すデバイス制御画面に図１９Ｂに示すＣｏｎｎｅｃｔペインＰ４をさらに表示させることによって、視認性を低下させてしまう恐れがある。
【０１６６】  そこで、医療用制御装置１００は、ユーザの操作に基づいて、例えば図１９Ａに示すデバイス制御画面と図１９Ｂに示すデバイス制御画面とを、切り替えて表示させる。
【０１６７】  ここで、デバイス制御画面の表示を切り替えるためのユーザの操作としては、例えば下記に示す例が挙げられる。なお、デバイス制御画面の表示を切り替えるためのユーザの操作の例が、下記に示す例に限られないことは、言うまでもない。    ・表示画面をスワイプする操作など、表示画面の表示の切り替えを行うことが可能な操作（表示対象の装置５００の表示デバイスがタッチパネルである場合）    ・物理的なボタンなどの表示対象の装置５００が備える操作デバイス、または、リモート・コントローラなどの外部操作デバイスを用いた操作
【０１６８】  医療用制御装置１００が、図１９Ａに示すデバイス制御画面と図１９Ｂに示すデバイス制御画面とを、切り替えて表示させることによって、視認性が低下することを防止しつつ、上記のような出力先および入力元として機能する装置４００を十分に制御することが、可能となる。
【０１６９】［３］本実施形態に係る制御方法が用いられることにより奏される効果の一例  医療用制御装置１００が本実施形態に係る制御方法に係る制御処理を行うことによって、例えば下記に示す効果が奏される。なお、本実施形態に係る制御方法が用いられることにより奏される効果が、下記に示す効果に限られないことは、言うまでもない。    ・例えば、図１１、図１７、図１９Ａ、図１９Ｂに示すデバイス制御画面が用いられることによって、ユーザは、１画面で画像の切り替えと、機器の制御とを行うことができるので、効率的に作業を行うことができる。    ・例えば、図１１のＣｏｎｎｅｃｔペインＰ３、図１７のＣｏｎｎｅｃｔペインＰ３、図１９ＡのＣｏｎｎｅｃｔペインＰ３、および図１９ＢのＣｏｎｎｅｃｔペインＰ４に示すように、デバイス制御画面には、画像の切り替えを行うことが可能な機器のみが表示されるので、ユーザの誤操作の防止が図られる。    ・レコーダ（装置４００の一例）のように、信号源と出力先とが、行われる処理（レコーダが用いられる目的に対応する処理）によって変わる機器においても、例えば図１９Ａ、図１９Ｂを参照して示したように、ユーザは、スワイプ操作などのユーザの操作によってモードを切り替えることによって、統一した操作を行うことができる。    ・例えば図１５、図１６を参照して示したように、１つの画像から画角を変えた複数の画像を、それぞれ異なるモニタ（出力先の一例）に出力することができる。
【０１７０】（本実施形態に係る医療用制御装置）  次に、上述した本実施形態に係る制御方法に係る処理を行うことが可能な本実施形態に係る医療用制御装置の構成の一例を説明する。
【０１７１】  図２０は、本実施形態に係る医療用制御装置１００の構成の一例を示すブロック図である。医療用制御装置１００は、例えば、通信部１０２と、制御部１０４とを備える。
【０１７２】  また、医療用制御装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、様々な画面を表示画面に表示する表示部（図示せず）などを備えていてもよい。医療用制御装置１００は、例えば、データの伝送路としてのバスにより上記各構成要素間を接続する。
【０１７３】  ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０１７４】  記憶部（図示せず）は、例えば、本実施形態に係る制御方法に係るデータや、アプリケーションなど、様々なデータを記憶する。ここで、記憶部（図示せず）としては、例えば、不揮発性メモリなどの記録媒体が挙げられる。また、記憶部（図示せず）は、例えば、医療用制御装置１００から着脱可能であってもよい。
【０１７５】  操作部（図示せず）としては、例えば後述する操作入力デバイスが挙げられる。また、表示部（図示せず）としては、後述する表示デバイスが挙げられる。
【０１７６】［医療用制御装置１００のハードウェア構成例］  図２１は、本実施形態に係る医療用制御装置１００のハードウェア構成の一例を示す説明図である。医療用制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、医療用制御装置１００は、例えば、データの伝送路としてのバス１６６で各構成要素間を接続する。
【０１７７】  ＭＰＵ１５０は、例えば、ＭＰＵなどの演算回路で構成される、１または２以上のプロセッサや、各種処理回路などで構成され、医療用制御装置１００全体を制御する制御部（図示せず）として機能する。また、ＭＰＵ１５０は、医療用制御装置１００において、例えば処理部１１０の役目を果たす。なお、処理部１１０は、処理部１１０における処理を実現可能な専用の（または汎用の）回路（例えば、ＭＰＵ１５０とは別体のプロセッサなど）で構成されていてもよい。
【０１７８】  ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１７９】  記録媒体１５６は、記憶部（図示せず）として機能し、例えば、本実施形態に係る制御方法に係るデータや、各種アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、医療用制御装置１００から着脱可能であってもよい。
【０１８０】  入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）（登録商標）端子、各種処理回路などが挙げられる。
【０１８１】  また、操作入力デバイス１６０は、例えば、医療用制御装置１００上に備えられ、医療用制御装置１００の内部で入出力インタフェース１５８と接続される。操作入力デバイス１６０としては、例えば、ボタンや、方向キー、ジョグダイヤルなどの回転型セレクタ、あるいは、これらの組み合わせなどが挙げられる。
【０１８２】  また、表示デバイス１６２は、例えば、医療用制御装置１００上に備えられ、医療用制御装置１００の内部で入出力インタフェース１５８と接続される。表示デバイス１６２としては、例えば、液晶ディスプレイ（Liquid  Crystal  Display）や有機ＥＬディスプレイ（Organic  Electro-Luminescence  Display。または、ＯＬＥＤディスプレイ（Organic  Light  Emitting  Diode  Display）ともよばれる。）などが挙げられる。
【０１８３】  なお、入出力インタフェース１５８が、医療用制御装置１００の外部の操作入力デバイス（例えば、キーボードやマウスなど）や外部の表示デバイスなどの、外部デバイスと接続することも可能であることは、言うまでもない。また、表示デバイス１６２は、例えばタッチパネルなど、表示とユーザ操作とが可能なデバイスであってもよい。
【０１８４】  通信インタフェース１６４は、医療用制御装置１００が備える通信手段である。通信インタフェース１６４は、例えば、ネットワークを介して（あるいは、直接的に）、入力元の装置２００、出力先の装置３００、装置４００、表示対象の装置５００、およびその他の装置６００Ａ、６００Ｂなどの、医療制御システム１０００を構成する１または２以上の外部装置それぞれと、無線または有線で通信を行うための通信部（図示せず）として機能する。また、通信インタフェース１６４は、例えば、サーバなどの医療制御システム１０００を構成する以外の外部装置と、無線または有線で通信を行う役目を果たしてもよい。
【０１８５】  ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）などが挙げられる。
【０１８６】  医療用制御装置１００は、例えば図２１に示す構成によって、本実施形態に係る制御方法に係る処理を行う。なお、本実施形態に係る医療用制御装置１００のハードウェア構成は、図２１に示す構成に限られない。
【０１８７】  例えば、医療用制御装置１００は、接続されている外部の通信デバイスを介して外部装置などと通信を行う場合には、通信インタフェース１６４を備えていなくてもよい。また、通信インタフェース１６４は、複数の通信方式によって、１または２以上の外部装置などと通信を行うことが可能な構成であってもよい。
【０１８８】  また、医療用制御装置１００は、例えば、記録媒体１５６、操作入力デバイス１６０、および表示デバイス１６２のうちの１または２以上を備えない構成をとることが、可能である。
【０１８９】  また、例えば、図２１に示す構成（または変形例に係る構成）の一部または全部は、１、または２以上のＩＣ（Integrated  Circuit）で実現されてもよい。
【０１９０】  再度図２０を参照して、医療用制御装置１００の構成の一例について説明する。通信部１０２は、医療用制御装置１００が備える通信手段であり、例えば、入力元の装置２００、出力先の装置３００、装置４００、表示対象の装置５００、およびその他の装置６００Ａ、６００Ｂなどの、医療制御システム１０００を構成する１または２以上の外部装置それぞれと、無線または有線で通信を行う。また、通信部１０２は、例えば、サーバなどの医療制御システム１０００を構成する以外の外部装置と、無線または有線で通信を行うことも可能である。
【０１９１】  ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路などの通信を行うことが可能な任意の規格に対応する構成や、ネットワークを介して外部装置と通信可能な任意の構成をとることができる。また、通信部１０２は、複数の通信方式によって、１または２以上の外部装置などと通信を行うことが可能な構成であってもよい。
【０１９２】  制御部１０４は、例えば、ＭＰＵなどの演算回路で構成される、１または２以上のプロセッサや、各種処理回路などで構成され、医療用制御装置１００全体を制御する。また、制御部１０４は、例えば処理部１１０を備え、本実施形態に係る制御方法に係る処理を主導的に行う役目を果たす。
【０１９３】  処理部１１０は、本実施形態に係る制御処理を主導的に行う役目を果たす。処理部１１０は、入力元に関するオブジェクトが表示される第１表示領域と出力先に関するオブジェクトが表示される第２表示領域との一方または双方と、入力元または出力先を制御するためのオブジェクトが表示される第３表示領域とを、１画面に表示させる。
【０１９４】  具体例を挙げると、処理部１１０は、例えば、上述した図１１、図１７、図１９Ａ、図１９Ｂに示すようなデバイス制御画面を、表示対象の装置５００の表示画面に表示させる。
【０１９５】  また、処理部１１０は、例えば図２〜図９を参照して示したデバイス選択画面などの、他の画面を、表示対象の装置５００の表示画面に表示させることも可能である。
【０１９６】  また、処理部１１０は、例えば、デバイス制御画面などの本実施形態に係る制御処理によって表示対象の装置５００に表示させた画面、または、デバイス選択画面などの表示対象の装置５００に表示させた画面に対して行われたユーザの操作に対応する処理を、行ってもよい。上記ユーザの操作に対応する処理としては、例えば、“デバイス選択画面に対する操作に応じて、操作に対応するデバイス制御画面に遷移させる処理”や、“デバイス制御画面に対する操作に応じて図１に示す各種スイッチャなどを制御することによって、入力元の装置２００と、出力先の装置３００（または、装置４００）とを接続する処理”などが挙げられる。
【０１９７】  制御部１０４は、例えば処理部１１０を備えることによって、本実施形態に係る制御方法に係る処理を主導的に行う。
【０１９８】  医療用制御装置１００は、例えば図２０に示す構成によって、本実施形態に係る制御方法に係る処理（例えば、上記制御処理）を行う。
【０１９９】  したがって、医療用制御装置１００は、例えば図２０に示す構成によって、ユーザの操作性の向上を図ることができる。
【０２００】  また、例えば図２０に示す構成によって、医療用制御装置１００は、本実施形態に係る制御方法に係る処理が行われることにより奏される効果を、奏することができる。
【０２０１】  また、例えば図２０に示す構成を有する医療用制御装置１００によって、ユーザの操作性の向上を図ることが可能な医療制御システム１０００が実現される。
【０２０２】  なお、本実施形態に係る医療用制御装置の構成は、図２０に示す構成に限られない。
【０２０３】  例えば、本実施形態に係る医療用制御装置は、図２０に示す処理部１１０を、制御部１０４とは個別に備える（例えば、別の処理回路で実現する）ことができる。
【０２０４】  また、上述したように、上記制御処理は、便宜上、本実施形態に係る制御方法に係る処理を切り分けたものである。よって、本実施形態に係る制御方法に係る処理を実現するための構成は、図２０に示す構成に限られず、本実施形態に係る制御方法に係る処理の切り分け方に応じた構成をとることが可能である。
【０２０５】  また、通信部１０２と同様の機能、構成を有する外部の通信デバイスを介して外部装置と通信を行う場合には、本実施形態に係る医療用制御装置は、通信部１０２を備えていなくてもよい。
【０２０６】  以上、本実施形態として、医療用制御装置を挙げて説明したが、本実施形態は、かかる形態に限られない。本実施形態は、例えば、ＰＣやサーバ、ＯＲ  Ｃｏｎｔｒｏｌｌｅｒなどのコンピュータ、タブレット型の装置、スマートフォンなどの通信装置など、本実施形態に係る制御方法に係る処理を行うことが可能な、様々な機器に適用することができる。また、本実施形態は、例えば、上記のような機器に組み込むことが可能な、処理ＩＣに適用することもできる。
【０２０７】（本実施形態に係るプログラム）  コンピュータを、本実施形態に係る医療用制御装置として機能させるためのプログラム（例えば上記制御処理など、本実施形態に係る制御方法に係る処理を実行することが可能なプログラム）が、コンピュータにおいてプロセッサなどにより実行されることによって、ユーザの操作性の向上を図ることができる。
【０２０８】  また、コンピュータを、本実施形態に係る医療用制御装置として機能させるためのプログラムが、コンピュータにおいてプロセッサなどにより実行されることによって、上述した本実施形態に係る制御方法に係る処理によって奏される効果を、奏することができる。
【０２０９】  以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２１０】  例えば、上記では、コンピュータを、本実施形態に係る医療用制御装置として機能させるためのプログラム（コンピュータプログラム）が提供されることを示したが、本実施形態は、さらに、上記プログラムを記憶させた記録媒体も併せて提供することができる。
【０２１１】  上述した構成は、本実施形態の一例を示すものであり、当然に、本開示の技術的範囲に属するものである。
【０２１２】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２１３】  なお、以下のような構成も本開示の技術的範囲に属する。（１）  画像の入力元に関するオブジェクトが表示される第１表示領域と画像の出力先に関するオブジェクトが表示される第２表示領域との一方または双方と、前記入力元または前記出力先を制御するためのオブジェクトが表示される第３表示領域とを、１画面に表示させる処理部を備える、医療用制御装置。（２）  前記第１表示領域と前記第２表示領域との双方と、前記第３表示領域とを、１画面に表示させる場合、  前記処理部は、  前記第２表示領域に、前記入力元の画像を表示させることが可能な前記出力先に関するオブジェクトを表示させ、  前記第３表示領域に、前記入力元を制御するためのオブジェクトを表示させる、（１）に記載の医療用制御装置。（３）  前記処理部は、前記第２表示領域に対する操作に基づいて、前記第２表示領域に対する操作により選択された、前記入力元の画像を表示させる前記出力先を、明示させる、（２）に記載の医療用制御装置。（４）  前記処理部は、前記第１表示領域に対する操作、および前記第２表示領域に対する操作に基づいて、前記第２表示領域に対する操作により選択された、前記第１表示領域に対する操作により選択された前記入力元の画像の一部に対応する画像を表示させる、前記出力先を、さらに明示させる、（３）に記載の医療用制御装置。（５）  前記第１表示領域と、前記第３表示領域とを、１画面に表示させる場合、  前記処理部は、  前記第１表示領域に、前記出力先に画像を表示させることが可能な前記入力元に関するオブジェクト、または、前記出力先に画像を記録させることが可能な前記入力元に関するオブジェクトを表示させ、  前記第３表示領域に、前記出力先を制御するためのオブジェクトを表示させる、（１）〜（４）のいずれか１つに記載の医療用制御装置。（６）  前記出力先が、独立して画像を表示することが可能な表示領域を１画面内に複数設けることが可能な機能を、有する場合、  前記処理部は、前記第３表示領域に、前記出力先における前記表示領域のうちの１または２以上への表示を制御するためのオブジェクトを、表示させる、（５）に記載の医療用制御装置。（７）  前記第２表示領域と、前記第３表示領域とを、１画面に表示させる場合、  前記処理部は、  前記第２表示領域に、前記入力元の画像を表示させることが可能な出力先に関するオブジェクトを表示させ、  前記第３表示領域に、前記入力元を制御するためのオブジェクトを表示させる、（１）〜（６）のいずれか１つに記載の医療用制御装置。（８）  前記処理部は、前記第２表示領域に、前記出力先の表示画面に表示されている画像のサムネイル画像を表示させる、（２）〜（４）、（６）のいずれか１つに記載の医療用制御装置。（９）  前記サムネイル画像は、動画像である、（８）に記載の医療用制御装置。（１０）  画像の入力元に関するオブジェクトが表示される第１表示領域と画像の出力先に関するオブジェクトが表示される第２表示領域との一方または双方と、前記入力元または前記出力先を制御するためのオブジェクトが表示される第３表示領域とを、１画面に表示させるステップを有する、医療用制御装置により実行される制御方法。（１１）  画像の入力元に関す���オブジェクトが表示される第１表示領域と画像の出力先に関するオブジェクトが表示される第２表示領域との一方または双方と、前記入力元または前記出力先を制御するためのオブジェクトが表示される第３表示領域とを、１画面に表示させる機能を、コンピュータに実現させるためのプログラム。（１２）  画像の入力元となる装置と、  画像の出力先となる装置と、  医療用制御装置と、  を有し、  前記医療用制御装置は、  前記入力元に関するオブジェクトが表示される第１表示領域と前記出力先に関するオブジェクトが表示される第２表示領域との一方または双方と、前記入力元または前記出力先を制御するためのオブジェクトが表示される第３表示領域とを、１画面に表示させる処理部を備える、医療用制御システム。
【符号の説明】
【０２１４】  １００    医療用制御装置  １０２    通信部  １０４    制御部  １１０    処理部  ２００    入力元の装置  ３００    出力先の装置  ４００    装置  ５００    表示対象の装置  ６００    その他の装置  １０００    医療制御システム
【図１】
2017056762.tif 000003
【図２】
2017056762.tif 000004
【図３】
2017056762.tif 000005
【図４】
2017056762.tif 000006
【図５】
2017056762.tif 000007
【図６】
2017056762.tif 000008
【図７】
2017056762.tif 000009
【図８】
2017056762.tif 000010
【図９】
2017056762.tif 000011
【図１０】
2017056762.tif 000012
【図１１】
2017056762.tif 000013
【図１２】
2017056762.tif 000014
【図１３】
2017056762.tif 000015
【図１４】
2017056762.tif 000016
【図１５】
2017056762.tif 000017
【図１６】
2017056762.tif 000018
【図１７】
2017056762.tif 000019
【図１８】
2017056762.tif 000020
【図１９Ａ】
2017056762.tif 000021
【図１９Ｂ】
2017056762.tif 000022
【図２０】
2017056762.tif 000023
【図２１】
2017056762.tif 000024
【国際調査報告】
2017056762.tif 000025
2017056762.tif 000026
2017056762.tif 000027
2017056762.tif 000028